(57)【要約】【課題】所定サイズの用紙に対して印刷を行うべく写真画像などの第１の画像上に付加画像などの第２の画像を貼り付けて画像を合成する場合、第２の画像の第１の画像に対する貼付位置を良好に設定して第２の画像が欠けることなく印刷領域内に収まるようにする。【解決手段】貼付位置を指定して写真画像上に付加画像を貼付し（Ｓ３、Ｓ４）、印刷開始を指示すると（Ｓ５）、給紙される用紙からその用紙の種類が設定されるとともに、その用紙のアスペクト比と写真画像のアスペクト比に応じて写真画像上に付加画像を貼り付けた画像がリサイズされる（Ｓ６、Ｓ８）。そして、そのリサイズされた画像において、印刷領域からの付加画像の食み出しがあるか否かが判定され（Ｓ９）、食み出しありの判定があると、付加画像が印刷領域に収まるように付加画像に対して処理が行われる（Ｓ１０）。【選択図】      図６
2010082926.tif 000002
【特許請求の範囲】
【請求項１】
第１の画像上に第２の画像を貼り付ける画像処理装置であって、
前記第１の画像及び前記第２の画像を表示する表示手段と、
前記表示手段に表示される第１の画像上に前記第２の画像の貼付位置を指定する貼付位置指定手段と、
前記貼付位置指定手段によって指定された貼付位置にしたがって、前記第２の画像を前記第１の画像に貼り付ける貼付手段と、
印刷のための用紙を設定する用紙設定手段と、
前記用紙設定手段によって設定された用紙及び前記第１の画像のアスペクト比に応じて、前記第１の画像に前記第２の画像が貼り付けられた画像を前記設定された用紙に印刷するべくリサイズするリサイズ手段と、
前記リサイズ手段によってリサイズされた画像の前記設定された用紙に対する印刷領域から前記第２の画像が食み出すか否かを判定する判定手段と、
前記判定手段によって前記第２の画像の食み出しが判定された場合、前記リサイズされた画像の前記印刷領域内に第２の画像が収まるように処理する処理手段と、
を備えることを特徴とする画像処理装置。
【請求項２】
前記処理手段は、
前記リサイズされた画像の前記印刷領域の端部から、その印刷領域外に食み出す第２の画像の外側の端部までの食み出し量を算出する食み出し量算出手段と、
前記リサイズされた画像において、少なくとも前記食み出し量算出手段によって算出された食み出し量に対応した移動量だけ第２の画像の貼付位置を前記印刷領域内に向けて移動して第２の画像を第１の画像上に貼り付ける貼付位置移動手段と、
を備えることを特徴とする請求項１記載の画像処理装置。
【請求項３】
前記処理手段は、前記リサイズされた画像において、第２の画像を縮小して前記印刷領域内に配置する画像縮小手段を備えることを特徴とする請求項１記載の画像処理装置。
【請求項４】
前記処理手段は、
前記リサイズされた画像の前記印刷領域の端部から、その印刷領域外に食み出した第２の画像の外側の端部までの食み出し量を算出する食み出し量算出手段と、
前記リサイズされた画像において、少なくとも前記食み出し量算出手段によって算出された食み出し量に対応した移動量だけ第２の画像の貼付位置を前記印刷領域内に向けて移動した場合に、第２の画像が前記印刷領域内に収まるか否か判断する判断手段と、
前記判断手段によって第２の画像が前記印刷領域内に収まると判断された場合、前記リサイズされた画像において、少なくとも前記食み出し量に対応した移動量だけ第２の画像の貼付位置を前記印刷領域内に向けて移動して第２の画像を第１の画像上に貼り付け、前記判断手段によって第２の画像が前記印刷領域内に収まらないと判断された場合、前記リサイズされた画像において、第２の画像を縮小して前記印刷領域内に配置する画像処理手段と、
を備えることを特徴とする請求項１記載の画像処理装置。
【請求項５】
更に、前記判定手段によって前記第２の画像の食み出しが判定された場合、前記処理手段によって処理された画像を前記用紙設定手段によって設定された用紙に印刷し、前記判定手段によって前記第２の画像の食み出しが判定されない場合、前記リサイズされた画像を前記用紙設定手段によって設定された用紙に印刷する印刷手段を備えることを特徴とする請求項１乃至４記載の印刷装置。
【請求項６】
第１の画像上に第２の画像を貼り付ける画像処理方法であって、
前記第１の画像及び前記第２の画像を表示する表示工程と、
前記表示工程に表示される第１の画像上に前記第２の画像の貼付位置を指定する貼付位置指定工程と、
前記貼付位置指定工程によって指定された貼付位置にしたがって、前記第２の画像を前記第１の画像に貼り付ける貼付工程と、
印刷のための用紙を設定する用紙設定工程と、
前記用紙設定工程によって設定された用紙及び前記第１の画像のアスペクト比に応じて、前記第１の画像に前記第２の画像が貼り付けられた画像を前記設定された用紙に印刷するべくリサイズするリサイズ工程と、
前記リサイズ工程によってリサイズされた画像の前記設定された用紙に対する印刷領域から前記第２の画像が食み出すか否かを判定する判定工程と、
前記判定工程によって前記第２の画像の食み出しが判定された場合、前記リサイズされた画像の前記印刷領域内に第２の画像が収まるように処理する処理工程と、
を備えることを特徴とする画像処理方法。
【発明の詳細な説明】
【技術分野】
【０００１】
本発明は、写真画像などの第１の画像データ上に図形や文字などの第２の画像データを貼り付ける画像処理装置及び画像処理方法に関する。
【背景技術】
【０００２】
従来、写真画像などの画像を用紙に印刷する技術として特許文献１に記載される画像印刷装置がある。この画像印刷装置では、画像を用紙に印刷する場合に、画像のアスペクト比と用紙のアスペクト比に基づいて、その画像を欠けることなく用紙上に印刷可能かどうかを判断し、欠けることなく印刷することができないと判定されると、画像に対して用紙のアスペクト比に対応する枠を画像とともに表示し、その画像における印刷領域の設定を可能にしている。
【０００３】
また、単に用紙に写真画像だけを印刷する他に、写真画像などの画像上の任意の位置に貼付位置を指定してその写真画像を装飾するための図形や文字などの付加画像を貼り付けて用紙に印刷することも行われる。
【特許文献１】特開２００３‐２４６１１９号公報
【発明の開示】
【発明が解決しようとする課題】
【０００４】
写真画像などの画像（第１の画像）上の任意の位置に貼付位置を指定してその写真画像を装飾するためのイラスト図形や文字などの付加画像（第２の画像）を貼り付けて用紙に印刷する場合、写真画像のアスペクト比と用紙のアスペクト比に基づいて、その用紙に印刷するべく第２の画像を貼り付けた第１の画像をリサイズすると、第１の画像の端に欠けが生じる可能性があり、その場合、第１の画像上に貼り付ける前記第２の画像の貼付位置によっては、その第２の画像が第１の画像の印刷領域から食み出して欠けてしまう。この第２の画像は、ユーザが意図して特に第１の画像に付加する情報であり、その第２の画像の欠けが生じることは、ユーザが所望する印刷結果が得られないことになる。  
【０００５】
本発明はこのような問題点を解決するものであり、所定サイズの用紙に対して印刷を行うべく第１の画像上に第２の画像を貼り付けて画像を合成する場合、第２の画像の第１の画像に対する貼付位置を良好に設定して第２の画像が欠けることなく印刷領域内に収まるようにすることができる画像処理装置及び画像処理方法を提供することを目的とする。
【課題を解決するための手段】
【０００６】
請求項１の発明は、第１の画像上に第２の画像を貼り付ける画像処理装置であって、  前記第１の画像及び前記第２の画像を表示する表示手段と、前記表示手段に表示される第１の画像上に前記第２の画像の貼付位置を指定する貼付位置指定手段と、前記貼付位置指定手段によって指定された貼付位置にしたがって、前記第２の画像を前記第１の画像に貼り付ける貼付手段と、印刷のための用紙を設定する用紙設定手段と、前記用紙設定手段によって設定された用紙及び前記第１の画像のアスペクト比に応じて、前記第１の画像に前記第２の画像が貼り付けられた画像を前記設定された用紙に印刷するべくリサイズするリサイズ手段と、前記リサイズ手段によってリサイズされた画像の前記設定された用紙に対する印刷領域から前記第２の画像が食み出すか否かを判定する判定手段と、前記判定手段によって前記第２の画像の食み出しが判定された場合、前記リサイズされた画像の前記印刷領域内に第２の画像が収まるように処理する処理手段とを備えることを特徴とする。
【０００７】
請求項２の発明は、前記処理手段は、前記リサイズされた画像の前記印刷領域の端部から、その印刷領域外に食み出す第２の画像の外側の端部までの食み出し量を算出する食み出し量算出手段と、前記リサイズされた画像において、少なくとも前記食み出し量算出手段によって算出された食み出し量に対応した移動量だけ第２の画像の貼付位置を前記印刷領域内に向けて移動して第２の画像を第１の画像上に貼り付ける貼付位置移動手段とを備えることを特徴とする。
【０００８】
請求項３の発明は、前記処理手段は、前記リサイズされた画像において、第２の画像を縮小して前記印刷領域内に配置する画像縮小手段を備えることを特徴とする。
【０００９】
請求項４の発明は、前記処理手段は、前記リサイズされた画像の前記印刷領域の端部から、その印刷領域外に食み出した第２の画像の外側の端部までの食み出し量を算出する食み出し量算出手段と、前記リサイズされた画像において、少なくとも前記食み出し量算出手段によって算出された食み出し量に対応した移動量だけ第２の画像の貼付位置を前記印刷領域内に向けて移動した場合に、第２の画像が前記印刷領域内に収まるか否か判断する判断手段と、前記判断手段によって第２の画像が前記印刷領域内に収まると判断された場合、前記リサイズされた画像において、少なくとも前記食み出し量に対応した移動量だけ第２の画像の貼付位置を前記印刷領域内に向けて移動して第２の画像を第１の画像上に貼り付け、前記判断手段によって第２の画像が前記印刷領域内に収まらないと判断された場合、前記リサイズされた画像において、第２の画像を縮小して前記印刷領域内に配置する画像処理手段とを備えることを特徴とする。
【００１０】
請求項５の発明は、更に、前記判定手段によって前記第２の画像の食み出しが判定された場合、前記処理手段によって処理された画像を前記用紙設定手段によって設定された用紙に印刷し、前記判定手段によって前記第２の画像の食み出しが判定されない場合、前記リサイズされた画像を前記用紙設定手段によって設定された用紙に印刷する印刷手段を備えることを特徴とする。
【００１１】
請求項６の発明は、第１の画像上に第２の画像を貼り付ける画像処理方法であって、  前記第１の画像及び前記第２の画像を表示する表示工程と、前記表示工程に表示される第１の画像上に前記第２の画像の貼付位置を指定する貼付位置指定工程と、前記貼付位置指定工程によって指定された貼付位置にしたがって、前記第２の画像を前記第１の画像に貼り付ける貼付工程と、印刷のための用紙を設定する用紙設定工程と、前記用紙設定工程によって設定された用紙及び前記第１の画像のアスペクト比に応じて、前記第１の画像に前記第２の画像が貼り付けられた画像を前記設定された用紙に印刷するべくリサイズするリサイズ工程と、前記リサイズ工程によってリサイズされた画像の前記設定された用紙に対する印刷領域から前記第２の画像が食み出すか否かを判定する判定工程と、前記判定工程によって前記第２の画像の食み出しが判定された場合、前記リサイズされた画像の前記印刷領域内に第２の画像が収まるように処理する処理工程とを備えることを特徴とする。
【発明の効果】
【００１２】
本発明によれば、所定サイズの用紙に対して印刷を行うべく第１の画像上に第２の画像を貼り付けて画像を合成する場合、第２の画像の第１の画像に対する貼付位置を良好に設定して第２の画像が欠けることなく印刷領域内に収まるようにすることができる。
【発明を実施するための最良の形態】
【００１３】
以下、本発明の実施の形態を図面を参照しながら説明する。図１は、一実施の形態に係る画像処理装置としての印刷装置の前面側から見た外観斜視図であり、図２は背面側から見た外観斜視図である。この印刷装置１は、住所録を作成するとともに葉書などの文面を編集し、葉書の宛名印刷及び葉書の文面を印刷するワープロ機能を有し、デジタルカメラで撮影した写真画像を取り込んで印刷する機能を有するとともに、その写真画像（第１の画像）上にイラストや文字などの付加画像（第２の画像）を貼り付けて合成する画像処理機能を有し、その合成した画像を印刷する機能を有している。
【００１４】
図１及び図２において、印刷装置１は装置本体２を備え、装置本体２の前面側には、この装置をワードプロセッサとして使用する場合に文書データを入力するための折り畳み式のキーボード３を備えている。このキーボード３は、住所録や葉書の文面を入力し、あるいは写真画像に貼り付ける文字画像を入力するための文字・記号入力キーや、文面の編集、表示画面の制御、印刷などに必要とする各種の制御キーを備えている。
【００１５】
このキーボード３は、装置本体２の前面の下部に回動可能に取り付けられ、印刷装置１をワードプロセッサとして使用する場合には、図１のように装置本体２の前部に倒して使用する。このようにキーボード３を前部に倒したことによって露出する装置本体２の前面には印刷用紙の逃し穴４が設けられており、印刷動作時に印刷用紙の一部が搬送の過程で、この逃し穴４から装置本体２外に突出する。また、キーボード３は装置本体２の前面部に立てるように折り畳む構成となっているので、キーボード３を装置本体２の前面部に折り畳んだまま印刷を実行するときのために、キーボード３にも装置本体２側の逃し穴４に対応して同様の逃し穴５が設けられている。
【００１６】
装置本体２の上面には、キーボード３から入力されたデータを表示し、各種の設定に必要なメニュー画面を表示し、またデジタルカメラから取り込んだ写真画像を表示するなどの他に、この装置で必要とする各種の情報を表示するための表示部６が設けられている。
【００１７】
また、装置本体２の上面には、装置の電源をオン・オフするための電源ボタン７が設けられており、更にキーボード３とは別に、写真画像の画像処理や印刷処理などに対応する装置本体２の後方からでも操作が可能な複数の入力キーを備えたキー操作部８が配置されている。このキー操作部８には、ワープロモードや写真画像印刷モードのそれぞれのモードを設定するモード設定キー９ａ、９ｂ、表示部６に表示されるカーソルを移動制御するためのカーソルキー１０、表示画面上での種々の選択決定などを行うための決定キー１１、印刷を指示するための印刷キー１２が設けられている。
【００１８】
図２に示すように、装置本体２の背面には、装置本体２内に通じる給紙口１３及び排紙口１４が設けられ、この給紙口１３及び排紙口１４に対応して給紙トレイ１５及び排紙トレイ１６が設けられている。また、装置本体２の背面には、複数種類のメモリカード１７の装着が可能なカードスロット１８ａ〜１８ｄが設けられている。カードスロット１８ａ〜１８ｄのいずれかにメモリカード１７が装着されると、メモリカード１７の端子がカードスロット１８ａ〜１８ｄ内に配設されているコネクタ端子に接続し、これにより、メモリカード１７内の画像データが印刷装置１側に読み出し可能となる。
【００１９】
図３及び図４は、印刷装置１の内部の構成の説明図である。図３及び図４において、ピックアップローラ２０は、不図示のモータにより反時計方向に回転駆動され、給紙トレイ１５に重ねて収容された印刷用紙５０を最上部より１枚ずつ印刷装置１内に繰り込む。このとき、ピックアップローラ２０の下部に配置された給紙レバー２１が、不図示の駆動機構により給紙トレイ１５の底部の先端付近で、印刷用紙５０の先端部を突き上げてピックアップローラ２０に向けて押圧する。
【００２０】
また、第１の搬送路２２は、上記のように取り込んだ印刷用紙５０の搬送を案内するためのものであり、この搬送路２２の端部には印刷用紙５０の搬送を行うための駆動ローラ２３ａ及び加圧ローラ２３ｂからなる搬送ローラ対２３が配置されている。また、搬送路２２の途中には、第１の紙センサ２５が設けられている。また、第２の搬送路２６は、第１の搬送路２２を経て搬入された印刷用紙５０が、その搬送方向を、図４に示すように反転したときに、その印刷用紙５０の印刷から装置本体２外への搬出までの搬送を案内するためのものであり、この搬送路２６の途中にはインクジェット方式の印刷機構が配置されている。
【００２１】
この印刷機構は、ガイドレール２７に沿って印刷用紙５０の搬送方向と直交する方向に往復移動するキャリッジ２８を備え、このキャリッジ２８には、印刷ヘッド２９が搭載されている。印刷ヘッド２９は、Ｙ（イエロー）、Ｍ（マゼンタ）、Ｃ（シアン）、Ｂ（ブラック）の各色インクをそれぞれ吐出する複数のノズルを備えている。またキャリッジ２８には、前記各色のインクが充填されたインクカートリッジ３０ａ〜３０ｄが搭載されている。また、排紙口１４に臨む第２の搬送路２６の終端部には、印刷後の印刷用紙５０を排出するためにピックアップローラ２０に当接して従動する点接ローラ３３が設けられている。
【００２２】
次に、印刷装置１の印刷動作について説明する。印刷開始の指示があると、図３に示すように、ピックアップローラ２０が反時計方向に回転駆動され、このピックアップローラ２０が給紙レバー２１と協働して印刷用紙５０を第１の搬送路２２に向けて給紙する。ピックアップローラ２０によって第１の搬送路２２を搬送される印刷用紙５０は、搬送ローラ対２３に搬送を受け継がれる。搬送を受け継がれた印刷用紙５０は、その後端近部が搬送ローラ対２３の位置に達するまで、搬送ローラ対２３によって更に搬送される。印刷用紙５０が第１の搬送路２２を搬送される過程で第１の紙センサ２５が印刷用紙５０を検知しており、印刷用紙５０の後端が第１の紙センサ２５の位置を抜けたところから所定の距離だけ搬送されたところで、搬送ローラ対２３の駆動ローラ２３ａの時計方向の回転が停止される。
【００２３】
次に、図４に示すように、駆動ローラ２３ａが反時計方向に回転すると、印刷用紙５０は搬入時とは逆に後端側を先端として第２の搬送路２６を排紙口１４に向けて搬送される。この第２の搬送路２６を搬送される印刷用紙５０の先端側が、第２の紙センサ３１によって検知されたことに基づいて、キャリッジ２８の移動が開始され、印刷ヘッド２９が印字駆動されて印刷用紙５０に対して印刷が行われる。印刷が終了すると、印刷用紙５０はピックアップローラ２０と点接ローラ３３によって排紙口１４を介して装置外部の排紙トレイ１６上に排出される。
【００２４】
図５は印刷装置１のブロック図である。この印刷装置の電子回路には、コンピュータであるＣＰＵからなる制御部３５が備えられる。制御部３５は、キーボード３からのキー操作信号に応じてＲＯＭ３６に予め記憶されているシステムプログラム、あるいはＣＤ−ＲＯＭなどの外部記憶媒体４０からその記憶媒体読み取り部４１を介して内部メモリに読み込まれた装置制御プログラム、あるいは外部通信ネットワークＮ上のＷｅｂサーバ４２から通信制御部４３を介して内部メモリに読み込まれた装置制御プログラムを起動させ、ＲＡＭ３７をワークメモリとして回路各部の動作を制御する。この制御部３５には、キーボード３、表示部６、プリンタ部４５、ＲＯＭ３６、ＲＡＭ３７、付加画像メモリ３８が接続される。前記プリンタ部４５はインクジェットプリンタで構成される。
【００２５】
また、制御部３５には、メモリカード制御部４６及び表示部６の表示画面上に設けられるタッチパネル４７が接続される。メモリカード制御部４６は、デジカメの写真画像を記録したメモリカードが着脱されるメモリカードコネクタ４８を介して写真画像の画像データを取り込んで、その取り込んだ画像データを制御部３５に転送する回路である。
【００２６】
ＲＯＭ３６には、本発明に係る写真画像に付加画像を貼り付けて写真画像を装飾する印刷物を印刷するためのプログラム、及びプリンタ部４５によって行われる印刷処理に関するプログラムが記憶されている。また、この印刷装置１で使用可能な複数種類の用紙のアスペクト比の情報が記憶されている。また、ＲＡＭ３７には、キーボード３から入力された文字データ、あるいはタッチパネル４７から入力された手書きの画像データが記憶される入力データメモリ、取り込まれた写真画像の画像データが記憶される画像データメモリ、写真画像や付加画像の印刷パターンデータ（印刷データ）が記憶される印刷データメモリ、表示部６に表示されるパターンデータが記憶される表示データメモリの各領域が確保され、印刷処理などに必要なデータを一時的に記憶するレジスタやカウンタなどが設けられている。また、付加画像メモリ３８には、写真画像上に貼り付けるための各種の図形からなる付加画像の画像データが予め記憶されている。また、写真画像と付加画像を合成するための処理領域が設けられている。
【００２７】
図６は、画像合成処理及びその合成された画像の印刷処理を説明するフローチャートである。図６において、先ず、メモリカード制御部４６により、メモリカードコネクタ４８を介してメモリカード１７からサムネイル画像データが読み出され、読み出されたサムネイル画像データにより複数のサムネイル画像が表示部６に表示され、ユーザにより写真画像（第１の画像）の選択が行われる（Ｓ１）。選択された写真画像の画像データがメモリカード１７から取り込まれてＲＡＭ３７に記憶されるとともに、選択された写真画像が表示部６に表示される（Ｓ２）。
【００２８】
次に、ユーザが付加画像メモリ３８に予め記憶されている複数の付加画像のうちから所望の付加画像を選択し、その選択した付加画像をカーソルキーの操作により表示部６に表示されている写真画像上の所望の位置に移動させて写真画像に対する付加画像の貼付位置を指定する（Ｓ３）。付加画像は、付加画像メモリ３８に予め記憶されている付加画像の画像データの他に、ユーザによりキーボード３から入力された文字データによる文字画像のデータ、あるいはタッチパネル４７から手書き入力された手書きの画像データが使用される。この付加画像の貼付位置の指定により、その付加画像の種類、サイズ及び写真画像上の貼付位置のデータがＲＡＭ３７に記憶される。付加画像の貼付位置の指定があると、写真画像の画像データ上の貼付位置に付加画像の画像データが貼り付けられて、写真画像の画像データと付加画像の画像データが合成される（Ｓ４）。
【００２９】
続いて、キーボード３の印刷キー１２が操作されて印刷開始の指示があると（Ｓ５）、給紙トレイ１５から給紙される印刷用紙５０の種類が第１の紙センサ２５によって検出され、その用紙検出情報がＲＡＭ３７に設定される（Ｓ６）。印刷用紙５０には用紙の種類に応じた識別マークが予め印刷されており、そのマークの検出により用紙の種類の識別が可能になっている。この用紙の設定に基づいて、設定された印刷用紙５０のアスペクト比がＲＯＭ３６に記憶してある用紙情報を参照して判断される（Ｓ７）。そして、設定された用紙のアスペクト比及び写真画像のアスペクト比に応じて、写真画像に付加画像が貼り付けた画像を前記印刷用紙５０に印刷するべくリサイズ処理が行われる（Ｓ８）。
【００３０】
次に、リサイズされた画像において、その画像の印刷用紙５０に対する印刷領域から付加画像が食み出すか否か判定される（Ｓ９）。この判定で付加画像の食み出しありの場合、前記リサイズされた画像の前記印刷領域内に付加画像が収まるように処理が行われる（Ｓ１０）。そして、その処理された画像の印刷データが生成され、プリンタ部４５によって設定された印刷用紙５０に印刷が行われる（Ｓ１１）。また、Ｓ９の判定が付加画像の食み出しなしの場合、Ｓ１０の処理をスキップしてＳ８でリサイズ処理された画像の印刷データが生成され、その印刷データに基づいて設定された印刷用紙５０に対して印刷が行われる（Ｓ１０）。
【００３１】
図７は図６のＳ１０による付加画像に対する処理を示すフローチャートである。また、図８は写真画像の元画像に付加画像を貼り付けた状態の説明図、図８乃至図１５は付加画像に欠けが生じる場合に付加画像に対する処理を行う例の説明図である。なお、説明図では、写真画像の元画像のアスペクト比が３：４で、その写真画像を印刷するＬ判の印刷用紙５０のアスペクト比が３：４．３であり、写真画像と印刷用紙５０の横方向を対応させるものであって、写真画像の縦方向の上下両端部に写真画像が印刷用紙５０から食み出して印刷ができない非印刷領域が生じる場合を例としている。
【００３２】
図７において、図６のＳ９の付加画像の食み出しがあるとの判定を受けて（Ｓ９のＹ）、その付加画像の前記印刷領域からの食み出しが写真画像の上部又は下部の非印刷領域のみか否かが判断される（Ｓ１０１）。図８は図６のＳ４の処理で元画像の写真画像Ａ１に付加画像Ｂ１を貼付した状態を示している。また、図９は図６のＳ８の処理によって図８に示す付加画像Ｂ１を貼付した写真画像Ａ１のアスペクト比と印刷用紙５０のアスペクト比に応じて写真画像Ａ１を印刷用紙５０に印刷するべくリサイズした画像を示しており、Ａ２はリサイズした写真画像、Ｂ２はリサイズした付加画像を示し、印刷用紙５０のサイズを破線で示している。この破線で示す印刷用紙５０に対応する領域がリサイズした写真画像Ａ２の印刷領域Ｄとなる。すなわち、印刷用紙５０に写真画像Ａ２の全体を収めて印刷することができず、写真画像Ａ２の上下両端部に印刷が不可能な非印刷領域Ｃが生じる。この非印刷領域Ｃを除いた領域Ｄが印刷領域となる。図９では、付加画像Ｂ２の一部が非印刷領域Ｃに食み出しており、このまま印刷を行うと、付加画像Ｂ２が欠けた印刷結果となる。
【００３３】
図９の例では、Ｓ１０１において、付加画像Ｂ２の食み出しは上部の非印刷領域Ｃのみであることが判断される（Ｓ１０１のＹ）。次に、前記印刷領域Ｄの端部から非印刷領域Ｃに食み出す付加画像Ｂ２の食み出し量が算出される。この食み出し量は、前記印刷領域Ｄの端部位置から付加画像Ｂ２の食み出し部分の最も外側の端部の位置までのデータによって算出される（Ｓ１０２）。図９の例では、食み出し量は「ａ」である。次に、付加画像Ｂ２を前記印刷領域Ｄ内に向けて、少なくとも食み出し量分だけ移動可能か否かが判断される（Ｓ１０３）。図９の場合では、付加画像Ｂ２の最も内側の端部位置と下部の非印刷領域Ｃとの境界位置までが食み出し量より大きいため、移動可能と判断される。移動可能であれば（Ｓ１０３のＹ）、少なくとも食み出し量分だけ、好ましくは食み出し量より若干大きな量だけ付加画像Ｂ２を印刷領域Ｄ内に向けて移動して写真画像Ａ２に付加画像Ｂ２を貼り付け（Ｓ１０４）、図６のＳ１１にリターンする。図１０は食み出し量「ａ」より幾分大きな「ｂ」の量だけ付加画像Ｂ２を移動した例を示している。
【００３４】
また、Ｓ１０３において、付加画像Ｂ２の食み出し量だけ付加画像Ｂ２を印刷領域Ｄ内に向けて移動することができないと判断された場合（Ｓ１０３のＮ）、付加画像Ｂ２を縮小して印刷領域Ｄ内に貼り付ける（Ｓ１０６）。図１１は他の例を示しており、この場合、付加画像Ｂ２の上部の非印刷領域Ｃへの食み出し量は「ｃ」であり、下部の非印刷領域Ｃの境界との間に「ｄ」の量の隙間が存在する。「ｃ」が「ｄ」より小さい場合は、図１２に示すように、付加画像Ｂ２のサイズを変更することなく印刷領域Ｄ内に移動することが可能であるが、「ｃ」が「ｄ」より大きい場合には付加画像Ｂ２を印刷領域Ｄ内に向けて移動すると、反対側に食み出すことになるため、その場合には、図１３に示すように、付加画像Ｂ２のサイズを縮小して印刷領域Ｄ内に配置するようにする。
【００３５】
また、Ｓ１０１において、付加画像Ｂ１の食み出しが上部又は下部の一方の非印刷領域Ｃに生じるものではない場合、すなわち上下両方の非印刷領域Ｃに生じる場合（Ｓ１０１のＮ）、それぞれの食み出し量を算出し（Ｓ１０５）、それらの食み出し量に基づいて適宜な縮小率によって付加画像Ｂ２を縮小して印刷領域Ｄ内に貼り付ける（Ｓ１０６）。図１４は、更に他の例を示しており、この場合、付加画像Ｂ２の上部の非印刷領域Ｃへの食み出し量は「ｅ」であり、下部の非印刷領域Ｃへの食み出し量は「ｆ」である。そして、これらの食み出しを解消するべく縮小率を設定して図１５に示すように付加画像Ｂ２の縮小を行い、印刷領域Ｄ内に配置する。
【００３６】
このように、所定サイズの印刷用紙に対して印刷を行うべく写真画像上に付加画像を貼り付けて画像を合成する場合、付加画像の写真画像に対する貼付位置を良好に設定して付加画像が欠けることなく印刷領域内に収まるようにすることができる。
【００３７】
なお、上記実施の形態では、写真画像の上下両端部に印刷不可能な領域が生じたが、印刷用紙と写真画像のアスペクト比の関係から写真画像の左右両端部に印刷不可能な領域が生じる場合もある。その場合にも同様にして本発明を適用することができる。
【図面の簡単な説明】
【００３８】
【図１】本発明の一実施形態に係る画像処理装置（印刷装置）の正面側から見た外観斜視図。
【図２】その画像処理装置の背面側から見た外観斜視図。
【図３】その画像処理装置の内部構造を示す説明図。
【図４】その画像処理装置の内部構造を示す説明図。
【図５】その画像処理装置のブロック図。
【図６】画像処理及び印刷処理を説明するフローチャート。
【図７】画像処理及び印刷処理を説明するフローチャート。
【図８】写真画像と付加画像の説明図。
【図９】写真画像に貼り付ける付加画像の処理の説明図。
【図１０】写真画像に貼り付ける付加画像の処理の説明図。
【図１１】写真画像に貼り付ける付加画像の処理の説明図。
【図１２】写真画像に貼り付ける付加画像の処理の説明図。
【図１３】写真画像に貼り付ける付加画像の処理の説明図。
【図１４】写真画像に貼り付ける付加画像の処理の説明図。
【図１５】写真画像に貼り付ける付加画像の処理の説明図。
【符号の説明】
【００３９】
１…画像処理装置（印刷装置）
２…装置本体
３…キーボード
６…表示部
１７…メモリカード
３５…制御部（ＣＰＵ）
３６…ＲＯＭ
３７…ＲＡＭ
３８…付加画像メモリ
５０…印刷用紙
Ａ１、Ａ２…写真画像
Ｂ１、Ｂ２…付加画像
Ｃ…非印刷領域
Ｄ…印刷領域
【図１】
2010082926.tif 000003
【図２】
2010082926.tif 000004
【図３】
2010082926.tif 000005
【図４】
2010082926.tif 000006
【図５】
2010082926.tif 000007
【図６】
2010082926.tif 000008
【図７】
2010082926.tif 000009
【図８】
2010082926.tif 000010
【図９】
2010082926.tif 000011
【図１０】
2010082926.tif 000012
【図１１】
2010082926.tif 000013
【図１２】
2010082926.tif 000014
【図１３】
2010082926.tif 000015
【図１４】
2010082926.tif 000016
【図１５】
2010082926.tif 000017